(57)【要約】  本発明は、一対の櫛歯を有する毛髪梳き櫛２００に関する。各対は、一次櫛歯２１６と隣接する二次櫛歯２１７とを有する。一次櫛歯２１６の遠位の一次先端２１８は、二次櫛歯２１７の遠位の二次先端２１９を越えて長手方向に延在している。一次櫛歯２１６の根元と二次櫛歯２１７の根元との間の遮断チャネル２２６は、そこで受けた毛がバリカン１００の切断要素１０６に到達するのを防ぐ。また、毛髪がバリカン１００の切断要素１０６に通過することを可能にするために、隣接する一対の櫛歯を分離する切断間隙２２５が存在する。遠位の一次先端２１８は第１の分離段で毛髪を分離し、遠位の二次先端２１９は第２の分離段で遮断チャネル２２６と切断間隙２２５との間で毛髪を分離する。
2021507788.tif 000002
【特許請求の範囲】
【請求項１】
バリカンに対する装着のための支持体と、
横並びの関係にある櫛歯の複数の対と、
を有し、前記櫛歯の各対は、
前記支持体に近接する根元から遠位の一次先端までの長手方向の範囲を持つ、一次櫛歯と、
前記一次櫛歯に隣接し、前記支持体に近接する根元から遠位の二次先端までの長手方向の範囲を持つ、二次櫛歯と、
を有し、
前記遠位の一次先端は、前記遠位の二次先端を越えて長手方向に延在し、
前記一次櫛歯の根元と前記二次櫛歯の根元との間に、前記一次櫛歯と前記二次櫛歯との間に定義された遮断チャネルに受容された毛髪が、前記バリカンの切断要素に到達することを防止するよう構成された、遮断部が備えられ、
前記櫛歯の隣接する対は、切断間隙によって分離され、毛髪が、前記切断間隙を通り、バリカンの切断要素へと到達することを許容し、
使用時に、前記遠位の一次先端が、第１の分離段における毛髪を分離し、前記遠位の二次先端が、第２の分離段において、前記遮断チャネルと前記切断間隙との間の一次櫛歯の間に受容された毛髪を分離する、
梳き櫛。
【請求項２】
前記一次櫛歯の長手方向の範囲は、前記二次櫛歯の長手方向の範囲よりも大きい、請求項１に記載の梳き櫛。
【請求項３】
前記遮断部は、前記一次櫛歯の根元と前記二次櫛歯の根元とを接続し、前記遮断チャネルを定義する、請求項１又は２に記載の梳き櫛。
【請求項４】
前記遮断部は、前記櫛歯の対が離隔される方向である横方向に水平な毛髪対向端を有する、請求項１乃至３のいずれか一項に記載の梳き櫛。
【請求項５】
前記一次櫛歯、前記二次櫛歯及び前記毛髪対向端は、断面が非対称なＵ字型のプロファイルを定義する、請求項４に記載の梳き櫛。
【請求項６】
前記一次櫛歯は、少なくとも部分的に、毛髪切断長さを定義するため、ユーザの皮膚と前記切断要素との間の所定の一定間隔を提供する、請求項１乃至５のいずれか一項に記載の梳き櫛。
【請求項７】
前記櫛歯の対が離隔される方向である横方向に平行な方向における、遠位の二次先端と隣接する一次櫛歯との間の間隔は、１乃至３ｍｍの範囲内である、請求項１乃至６のいずれか一項に記載の梳き櫛。
【請求項８】
筐体及び切断要素を持つバリカンと、請求項１乃至７のいずれか一項に記載の梳き櫛と、を有するバリカン装置。
【発明の詳細な説明】
【技術分野】
【０００１】
本発明は、バリカン用の櫛及び櫛を有するバリカン装置に関するものである。
【背景技術】
【０００２】
バリカン（hair clipper）は、毛髪をトリミングするために使用される。バリカンの切断要素は、通常、急速にハサミのような動作で刃の歯の間に配置された毛をカットするために、互いに相対的に前後にスライドする一対の櫛のような刃で構成されている。バリカンは、一回のストロークで多数の毛が切断されることを可能にする。
【０００３】
バリカンは、毛を切断要素に導くために、該バリカンが皮膚の上を移動するときに毛を持ち上げてガイドする櫛を備えることがある。櫛は、典型的には、毛髪を通るバリカンのストローク中に皮膚に接触する基部を有する。基部から延在する複数の櫛歯は、切断されるべき毛を切断要素に導くためのものであり、切断後の毛の残りの長さ（即ち毛の切断長さ）を定義するために、皮膚と切断要素との間に所定の一定間隔を提供するために使用されることができる。
【０００４】
幾つかの場合においては、隣接する櫛歯の間に入る毛の全てではなく一部を切断することによって、切断される毛を梳く（thin）ことが望ましい場合もある。従って、切断されるべき毛が１つ以上の遮断要素上に入るのを防止するために、それぞれの櫛歯の間に配置された遮断要素を有する櫛を提供することが知られている。
【発明の概要】
【発明が解決しようとする課題】
【０００５】
しかしながら、このような櫛の問題点は、毛髪を皮膚から離れた位置に適切に配置して方向付けすることができず、切断されるべき毛髪と遮断されるべき毛髪とを均一に分離することができないことである。このため、梳きの結果にばらつきが生じてしまうという問題がある。従って、特に、一貫性のある改善された梳きを提供するバリカンのための梳き櫛を提供することが望ましいであろう。
【課題を解決するための手段】
【０００６】
第１の態様においては、
バリカンに対する装着のための支持体と、
横並びの関係にある櫛歯の複数の対と、
を有し、前記櫛歯の各対は、
前記支持体に近接する根元から遠位の一次先端までの長手方向の範囲を持つ、一次櫛歯と、
前記一次櫛歯に隣接し、前記支持体に近接する根元から遠位の二次先端までの長手方向の範囲を持つ、二次櫛歯と、
を有し、
前記遠位の一次先端は、前記遠位の二次先端を越えて長手方向に延在し、
前記一次櫛歯の根元と前記二次櫛歯の根元との間に、前記一次櫛歯と前記二次櫛歯との間に定義された遮断チャネルに受容された毛髪が、前記バリカンの切断要素に到達することを防止するよう構成された、遮断部が備えられ、
前記櫛歯の隣接する対は、切断間隙によって分離され、毛髪が、前記切断間隙を通り、バリカンの切断要素へと到達することを許容し、
使用時に、前記遠位の一次先端が、第１の分離段における毛髪を分離し、前記遠位の二次先端が、第２の分離段において、前記遮断チャネルと前記切断間隙との間の一次櫛歯の間に受容された毛髪を分離する、
梳き櫛が提供される。
【０００７】
近位及び遠位という用語は、本明細書では、櫛が取り付けられたときのバリカンとの相対的な位置を示すために使用され、近位はバリカンに近い位置を示し、遠位はバリカンから離れた位置を示す。
【０００８】
ここで記載される技術は、毛髪を２段階で分離するための櫛に関するものであり、毛髪が一組の一次櫛歯によって切断方向の上流側に分離される第１の分離段と、一次櫛歯の間に受け取られた毛髪が、使用中に毛髪を梳く効果を提供するために、櫛の遮断チャネルと切断間隙との間で分離される第２の下流側の分離段とを有する。
【０００９】
このようにして、それぞれの一次櫛歯の間に入った毛は、切断されるべき毛と遮断されるべき毛との間の分離点に向かってより均一に毛が運ばれるように、一次櫛歯によってガイドされ、絡まりが解かれ、持ち上げられる。更に、一次櫛歯と二次櫛歯との間に遮断チャネルを提供することにより、遮断要素に整列された毛が、意図せず切断間隙に滑り込み、従って切断されることを防止することができる。
【００１０】
このようにして、ここで記載された技術は、各ストロークについて改善された、より一貫した梳き結果をもたらす。
【００１１】
更に、二次櫛歯は、切断前に毛髪を更に持ち上げてほぐすのに役立ち、それにより、切断要素へと通過する毛髪の向きが改善され、櫛の形状によって決定される所定の毛髪切断長さでより多くの毛髪を切断することが可能になる。
【００１２】
一次櫛歯は、遠位の二次先端を越えて、二次櫛歯の長手方向の範囲内で長手方向に延在しても良い。遠位の一次櫛歯、例えばその遠位の一次先端部は、使用中に、皮膚表面に対して法線方向に遠位の二次先端部を越えて延在しても良い。遠位の一次先端部は、遠位の二次先端部を越えて、遠位の一次櫛歯、例えば遠位の二次先端部が使用中に皮膚表面に当たらないように長手方向に延びても良い。
【００１３】
遮断部は、遮断チャネルの基部を規定する毛髪対向端を有しても良い。 
【００１４】
一次櫛歯の根元は、一次櫛歯に最も近い点で毛髪対向端に対応していても良い。即ち、一次櫛歯は、毛髪対向端から延在していても良く、その場合、一次櫛歯の根元は、毛髪対向端と一次櫛歯との間の接合部であっても良い。
【００１５】
同様に、二次櫛歯の根元は、二次櫛歯に最も近い点で毛髪対向端に対応していても良い。即ち、二次櫛歯は、毛髪対向端から延在しても良く、その場合、二次櫛歯の根元は、毛髪対向端と二次櫛歯との接合部であっても良い。
【００１６】
前記一次櫛歯の長手方向の範囲は、前記二次櫛歯の長手方向の範囲よりも大きくても良い。このようにして、一次櫛歯及び二次櫛歯の根元がそれぞれ切断要素の切断端から同じ距離にある構成において、遠位の第１の先端部は、遠位の第２の先端部を越えて延在する。 
【００１７】
遠位の一次先端部は、少なくとも遠位の二次櫛歯の長手方向の範囲で遠位第２の先端部を越えて長手方向に延びても良い。遠位の一次先端部は、遠位の二次先端部を越えて、二次櫛歯の長手方向の範囲の約１倍から約１２倍の量だけ長手方向に延在しても良い。
【００１８】
二次櫛歯の長手方向の範囲は、少なくとも０．５ｍｍの長さであっても良い。
【００１９】
二次櫛歯の長手方向の範囲は、遠位の第２の先端部と隣接する一次櫛歯との間の間隔の約１倍乃至６倍の範囲内であっても良く、一対のオフ櫛歯が離隔される横方向に沿って平行な方向に、遠位の第２の先端部と隣接する一次櫛歯との間の間隔の約１倍乃至６倍の範囲内であっても良い。この長手方向の範囲は、毛が遮断部から切断要素内に滑り込むことを効果的に防止する。
【００２０】
遮断部は、一次櫛歯の根元と二次櫛歯の根元とを接続して、遮断チャネルを画定しても良い。
【００２１】
遮断部は、切断方向において、遠位の一次先端の実質的な下流側であっても良い。例えば、遮断部は、使用時には、遠位の一次先端よりも切断要素の切断端に近い位置にあっても良い。
【００２２】
遮断部は、一対の櫛歯が離隔される横方向に沿って平行な毛髪対向端を有しても良い。一次櫛歯、二次櫛歯、及び毛髪対向端は、断面において非対称なＵ字形のプロファイルを定義しても良い。これらの特徴は、遮断されるべき毛髪を保持するチャネルの深さを最大にし、それにより、切断されるべきではない毛髪を確実に保持する。
【００２３】
一次櫛歯は、毛髪の切断長さを定義するために、少なくとも部分的に、ユーザの皮膚と切断要素との間の所定の一定間隔を提供しても良い。即ち、第一の櫛歯、例えば、支持体は、使用中のバリカンの刃先を、皮膚から一定間隔で支持しても良い。該一定間隔は、切断長さを規定しても良い。
【００２４】
一対の櫛歯が離隔される横方向に沿って平行な方向における遠位の二次先端と隣接する一次櫛歯との間の間隔は、切断される毛を受けるための切断要素の開口部の幅、又は切断要素の隣接する保護歯を分離する幅、と等しくても良い。櫛歯の対が離隔される横方向に沿って平行な方向における遠位の第２の先端と隣接する一次櫛歯との間の間隔は、約１乃至３ｍｍの範囲内であっても良く、例えば約１．８ｍｍであっても良い。
【００２５】
これらの幅は、一対の櫛歯のそれぞれの間の櫛に入る毛の約半分が、一回のストローク中に遮断／切断されることを可能にし、それにより、一対の櫛歯の間に均等な梳き効果をもたらす。
【００２６】
隣接する一次櫛歯は、二次櫛歯が属する対の一次櫛歯であっても良いし、隣接する対の一次櫛歯であっても良い。
【００２７】
第２の態様において、ここで記載された第１の態様及びその任意の特徴による梳き櫛が提供される。
【００２８】
第３の態様において、筐体及び切断要素を有する毛髪バリカンと、以上のいずれかの態様による毛髪梳き櫛と、を有する毛髪バリカン装置が提供される。
【００２９】
当業者は、相互に排他的な場合を除き、上記のいずれかの態様に関連して記載された特徴を他の態様にも適用することができることを理解するであろう。更に、相互に排他的である場合を除き、本明細書に記載された特徴は、任意の態様に適用され、及び／又は本明細書に記載された他の特徴と組み合わせて使用することができる。
【図面の簡単な説明】
【００３０】
【図１】毛髪バリカン及び櫛を有する毛髪バリカン装置の斜視図である。
【図２】図１の櫛の斜視図である。
【図３】図１の毛髪バリカン装置の前面図である。
【図４】図２の櫛の前面図である。
【図５（ａ）】使用時の図１の毛髪バリカンの斜視図である。
【図５（ｂ）】使用時の図１の毛髪バリカンの斜視図である。
【発明を実施するための形態】
【００３１】
図１乃至４を参照すると、バリカン１００と櫛２００を有する装置１０が全体的に示されている。
【００３２】
毛髪バリカン１００は、切断要素１０６が取り付けられた切断ヘッド１０４と、切断ヘッド１０４から全体的に離れて延在するハンドル部分１０８とを有する細長い把持可能な本体から構成されている。バリカン本体は、全体的に、バリカン本体の外面を形成する筐体１０９によって形成されている。
【００３３】
ハンドル部分１０８は、使用中にユーザがバリカン１００を手で握ることができるように、細長い把持可能な部分である。ハンドル部分１０８は、特にハンドル部分１０８が濡れているときに、ユーザによるバリカン１００のより良いグリップを容易にするために、ゴムの又はテクスチャーのある表面１１０で部分的に覆われている。ハンドル部分１０８の前面には、バリカン１００の電源をオン／オフするための電源ボタン１１２が設けられている。
【００３４】
切断ヘッド１０４は、ハンドル部分１０８の端部に配置されている。切断ヘッド１０４は、バリカン１００の切断要素１０６を有する。切断要素１０６は、第１の静止刃と第２の往復刃から構成されていても良い。これらの刃は、結合して切断端１１７を形成する。往復動刃は、刃の歯の間に配置された毛が、刃の歯が互いにすれ違うときにはさみのような動作で切断されるように、切断端１１７に平行な方向で静止刃に対して横方向に相対的に往復動される。往復動刃は、刃に取り付けられた往復動機構（図示せず）に動力を与えるモータを用いて移動させても良い。モータは、バリカン１００の筐体１０９内に収容された充電式電池によって動力を供給されても良い。モータは、電源スイッチ１１２を用いて選択的にオン／オフすることができる。
【００３５】
切断端１１７は、切断ヘッド１０４の前端部を形成している。毛髪バリカン１００の切断方向ｘは、切断端１１７に対して垂直である。毛髪が刃歯の間の隙間に容易に入るためには、毛髪が切断方向ｘに沿って切断端１１７の前側から切断端１１７に接近しなければならないことが理解されるべきであり、従って、毛髪バリカン１００は、図１に示す切断方向ｘに前方に移動したときに最も効果的に毛髪を切断する。
【００３６】
また、切断方向ｘにおける切断端１１７よりも後方に位置する切断ヘッド１０４の外面１２６は、使用時の皮膚に面している。使用時には、バリカン１００に櫛２００が取り付けられていない状態で密着したシェービングを行うために、皮膚に面した表面１２６は一般的にユーザの皮膚に軽く押し付けられ、バリカンは、切断方向ｘにおいて切断端１１７がユーザの皮膚に沿って前方に移動するように、切断方向ｘにおいてユーザの皮膚に沿ってスライドさせられ、遭遇したあらゆる毛を切断する。 
【００３７】
装置１０はまた、図２に最もよく示されているように、櫛２００を有する。櫛２００は、切断要素１０６が効果的かつ効率的に毛髪を切断できるように、切断される毛髪をガイドし、持ち上げる。
【００３８】
櫛２００は、２つの側部要素２０２を持つ支持体２１０を有する。２つの側部要素２０２は、後部連結バー２０４によって互いに連結され、間隔をあけて配置されている。側部要素２０２の間の距離（及び連結バー２０４の軸方向長さ）は、櫛２００がフレーム要素２０２の間で切断ヘッド１０４に取り付けられるように、バリカン１００の切断ヘッド１０４の幅に実質的に等しい。
【００３９】
レール２０７の形態の連結特徴は、支持体２１０上の側部要素２０２のそれぞれから延在している。レール２０７は、櫛２００をバリカンに取り付けるために、バリカン１００の対応するスロットに挿入可能である。
【００４０】
後方連結バー２０４は、支持本体２１０の後方端部に形成されている。支持体２１０の複数の細長いストリップ２１４は、切断方向ｘにおいて後部連結バー２０４から前方に延在しており、複数のストリップ２１４は、櫛２００がバリカン１００に取り付けられたときに、ストリップ２１４が皮膚対向面１２６と嵌合するように、一般にバリカン１００の皮膚対向面１２６に適合している。
【００４１】
ストリップ２１４は、それらの前方端部（即ち皮膚表面から離れた切断方向ｘにおいて後方接続バー２０４から最も遠い位置）で曲がり、切断方向ｘにおいて後方を向く後向き端２２２を有する湾曲部分を定義する。櫛２００の後向き端２２２及びそれらの対応するストリップ２１４は、櫛２００が接続されたときにバリカン１００の切断要素１０６及び切断端１１７の周りに延在するように構成された不連続な肩部２０８を定義する。肩部２０８は、図２では湾曲しているが、代わりに角張っていても良い。
【００４２】
一対の櫛歯２１６、２１７が各ストリップ２１４から延在している。櫛２００は、図１に示された切刃１１７に平行な方向に沿って横並びに配置された複数の斯かる一対の櫛歯２１６、２１７を有する。
【００４３】
図面では、一対の櫛歯２１６、２１７が支持体２１０のストリップ２１４から延在していることが示されているが、これは必須ではないことが理解されるであろう。他の配置では、支持体は、複数のストリップを有するのではなく、その代わりに、複数の対の櫛歯を形成するためにそこから延在する突起を有する実質的に連続した、例えば平面状の本体であっても良い。
【００４４】
各対の櫛歯は、一次櫛歯２１６と、一次櫛歯２１６に隣接して切刃１１７に平行な横方向に配置された二次櫛歯２１７とを有する。
【００４５】
一対の櫛歯２１６、２１７は、一般的に、支持体２１０から離れて、切断されるべき毛が配置される皮膚の表面に向かって、切断端１１７に対して実質的に垂直な平行方向に長手方向に延在している。一次櫛歯２１６は、毛髪切断長さ、即ち切断後の毛髪の長さを規定するために、ユーザの皮膚と切断要素１０６との間に所定の固定間隔を提供する。しかしながら、二次櫛歯２１７は、使用時には皮膚表面とは当たらない。
【００４６】
櫛歯２１６、２１７は、切断要素１０６及びバリカン１００の筐体１０９の切断方向ｘの前方に延在しており、特に、各一対の櫛歯２１６、２１７は、切断ヘッド１０４の前方面（図１に示すように）から約１２０度の鈍角θで延在する前面１２８を持つ。また、使用時には、前面１２８は、皮膚表面から約１２０度の鈍角で延在しているとも言える。
【００４７】
図１では、一次櫛歯２１６及び二次櫛歯２１７の両方が、単一の角度θで切断ヘッド１０４の前方の面から延在する前面１２８を有することが示されているが、これは必須ではないことが理解されるであろう。一次櫛歯は、二次櫛歯の前面とは異なる角度で切断ヘッド１０４の前方面から延在する前面を有していても良い。
【００４８】
図４に最もよく示されているように、各一次櫛歯２１６は、支持体２１０の近位の根点２２０から、切断方向ｘにおける一次櫛歯２１６の最前方点である遠位の一次先端２１８までの長手方向の範囲４１３（正面１２８に沿って）を持ち、各二次櫛歯２１７は、支持体２１０の近位の根点２２１から、切断方向ｘにおける二次櫛歯２１７の最前方点である遠位の二次先端２１９までの長手方向の範囲４１４（正面１２８に沿って）を持つ。 
【００４９】
根元２２０、２２１は、バリカン１００の切断要素１０６に近接した位置で支持体２１０上にあることが理解されるであろう。特に、根２２０、２２１は、櫛２００がバリカン１００に取り付けられたときに切断要素１０６が当接する櫛２００の後向きの縁２２２に近接している。根元２２０、２２１は、支持体２１０上の点、特に図４のストリップ２１４上の点であり、そこから一次櫛歯２１６及び二次櫛歯２１７がそれぞれ延在する。
【００５０】
この例では、根２２０、２２１は、切断要素１０６又は端１１７から等距離にあるという点で、対応する長手方向位置を持つ。一次櫛歯２１６は、二次櫛歯２１７の長手方向の範囲４１４よりも大きな長手方向の範囲４１３を持つ。このようにして、各対の櫛歯２１６、２１７は、遠位の一次先端２１８が対の遠位の二次先端２１９を越えて長手方向に延在するように構成されている。しかしながら、他の例では、一次櫛歯２１６及び二次櫛歯２１７は、等しい長手方向の延長部４１３、４１４を持っても良いが、一次櫛歯２１６の根元２２０は、遠位の一次先端２１８が遠位の二次先端２１９を越えて長手方向に延在するように、切断方向ｘにおいて二次櫛歯２１７の根部２２１の長手方向前方に配置されていても良い。
【００５１】
櫛２００はまた、各対の一次櫛歯２１６、２１７の根２２０、２２１の間に延在する遮断部２２３を含む。この例では、各対に対応する遮断部２２３は、対応するストリップ２１４の一部であり、当該対の支持体２１０、一次櫛歯２１６及び二次櫛歯２１７と一体的に形成されている。しかし、他の例では、これらの様々な部分は、等価な構成を形成するよう互いに結合する別個の構成要素であっても良い。このように、一次櫛歯２１６、二次櫛歯２１７、及び遮断部２２３は、支持体２１０又はストリップ２１４に取り付ける別個の要素として設計されても良い。
【００５２】
遮断部２２３は、一対の一次櫛歯２１６と二次櫛歯２１７の根２２０、２２１を連結して、一対の一次櫛歯２１６と二次櫛歯２１７の間に遮断チャネル２２６を画定し、遮断チャネル２２６内の毛が毛髪バリカン１００の切断要素１０６に到達するのを防止する。示された例では、遮断部２３３は、一次櫛歯２１６、二次櫛歯２１７、及び遮断部２３３の毛髪対向端２２４が合わせて断面において非対称なＵ字形のプロファイルを定義するように、切断要素１０６に平行な毛髪対向端２２４を構成している。
【００５３】
図３及び図４に見られるように、隣接する一対の櫛歯２１６、２１７及び隣接する遮断要素２３３は、毛髪が間隙２２５を通ってバリカン１００の切断要素１０６に通過することを可能にするために、切断間隙２２５によって分離されている。このようにして、隣接する一対の櫛歯、特に隣接する一次歯２１６の間に落下する毛の一部のみが、使用中の切断要素１０６によって切断される。従って、このような櫛２００を取り付けた状態でバリカン１００を操作すると、毛髪の梳きを実行し、毛髪の全てではなく一部が所望の長さに切断されることになる。
【００５４】
ここで、複数の対の櫛歯の具体的な寸法について、図４を参照して説明する。しかしながら、これらの寸法は単なる例として与えられたものであり、実際にはどのような適切な寸法であっても良いことが理解されるであろう。
【００５５】
図示されるように、それぞれの対の櫛歯の一次櫛歯２１６は等しい厚さを持つ。それぞれの対の櫛歯の二次櫛歯２１７もまた、等しい厚さを持つ。一次櫛歯２１６及び二次櫛歯２１７は、それらの遠位先端がそれらの根元部分よりも細くなるように、それらの長手方向の延長線に沿って先細りになっている。 
【００５６】
櫛歯２１６、２１７のそれぞれの対は、隣接する櫛歯２１６、２１７の対が同じ大きさの切断間隙２２５によって分離されるように、横方向に沿って櫛２００の幅にわたって一般的に等間隔に配置されている。図４の配置では、櫛歯２１６、２１７の対は、隣接する一次櫛歯２１６の間の間隔が等しく、隣接する二次櫛歯２１７の間の間隔が等しくなるような同等の寸法を有している。
【００５７】
一次櫛歯２１６と二次櫛歯２１７との間のチャネル２２６の幅は、二次櫛歯２１７が隣接する一次櫛歯２１６の中心に実質的に位置するように、切断間隙２２５の幅と同程度の大きさである。この具体例では、図４の遮断チャンネル２２６の幅は１．８ｍｍであり、一方、切断間隙２２５の幅は２ｍｍである。これらの幅は、それぞれの対の櫛歯２１６、２１７の間の櫛に入る毛の約半分を、一回のストローク中に遮断／切断することを可能にし、それにより、対の櫛歯全体にわたって均等な毛髪の梳き効果をもたらす。
【００５８】
二次歯２１７の遠位の二次先端２１９とその隣接する一次歯２１６との間の横方向の間隔は、隣接する一次歯２１６の間の間隔よりも小さい。このようにして、隣接する一次歯２１６の間で櫛２００に入る毛は、切断要素１０６によって切断され、遮断チャネル２２６によって遮断されるように、より細い列又は毛の束に分離される。このことは、短い房と長い房との間の毛髪の混合を増加させる、より細かい梳きの結果を提供する効果を有する。このことは、遮断部が、隣接する一次櫛歯の選択された対の間の領域全体を占める仮説的な配置とは対照的であり、斯かる配置の場合には、遮断要素によって遮断される毛及び切断要素によって切断される毛のより広い列を持つことに起因して、目に見えてジグザグで不調和な毛の長さをもたらし得る。
【００５９】
この点に関して、（先細の）一次櫛歯２１６が（先細の）二次櫛歯２１７を越えて長手方向に延在している結果として、二次櫛歯２１７は、切断要素１０６又は端１１７からの同じ距離において、一次櫛歯２１６よりも幅（横方向）が狭いことが理解されるであろう。このようにして、櫛２００内の全ての分離点（全ての櫛歯の先端部）の間のより小さい横方向の分離が達成され、それにより、使用中に、適切な大きさの遮断チャネル２２６及び切断間隙２２５を製造することができる一方で、より混合された梳きの結果を提供することができる。更に、一次櫛歯よりも狭い二次櫛歯を有することは、全体的な櫛構造の製造を容易にする。このことは、すべての分離点間の分離が同じであるが、切断要素から同じ距離に同じ幅の櫛歯を有する仮想的な櫛構造の製造と対照的である。
【００６０】
この例では、遠位の一次先端２１８は、遠位の二次先端２１９を越えて、二次櫛歯２１７の長手方向の範囲４１４の約７倍の長さ４１５で長手方向に延在している。一次櫛歯２１６と二次櫛歯２１７との間の長さは、以下で更に説明するように、一次櫛歯２１６が、第１の分離段で毛を効果的に上昇させてガイドし、第２の分離段で二次櫛歯２１７による分離のための望ましい配向に到達することを可能にする。 
【００６１】
支持体２１０の近位の根元２２１から遠位の二次先端２１９までの各二次櫛歯２１７の長手方向の範囲４１４は、約１．５ｍｍの長さである。
【００６２】
使用時には、一次櫛歯２１６は第１の分離段で毛髪を分離し、二次櫛歯２１７は第２の分離段で遮断チャネル２２６と切断間隙２２５との間で一次櫛歯２１６の間に受けた毛髪を分離する。櫛２００のこの機能は、以下に図５Ａ及び５Ｂに関して詳細に説明される。
【００６３】
装置１０が切断方向ｘに移動されると、毛５００は、梳かれるために櫛２００に向かって運ばれる。図５Ａに見られるように、一例では、毛５００は、皮膚の表面（図示せず）上でその根元５０１からランダムな方向に絡み合っている。
【００６４】
所与の一次櫛歯２１６のいずれかの側に位置決めされた根５０１を有する絡んだ毛５００は、第１の分離段において、一次櫛歯２１６によって解かれる。更に、隣接する一対の一次櫛歯２１６の間に位置する根を有する任意の毛は、櫛２００に入り、隣接する一次櫛歯２１６の別の一対の間に位置する根を有する毛から分離される。
【００６５】
図５Ａ及び５Ｂは、櫛２００に入る限られた数の毛５００のみを示しているが、一次櫛歯２１６の間の唯一の障害物が、一次櫛歯２１６の遠位の一次先端２１８の下流にある遮断部の毛に対向する縁２２４であるため、毛が一次櫛歯２１６の間の櫛２００に入ることが禁止されていないことが理解されるであろう。このことは、櫛２００内に入る毛５００の数を最大にする効果があり、これによりストロークあたりの毛髪梳き効果が増大する。
【００６６】
毛髪５００が第１の分離段で分離された後、一次櫛歯２１６は、毛髪５００が持ち上げられて一次櫛歯２１６の下流の二次櫛歯２１７に向かってガイドされるように、毛髪５００と係合する。遠位の一次先端２１８が遠位の二次先端２１９を越えて切断方向ｘに長手方向に延在しているので、毛髪５００は、二次櫛歯２１７によって、切断要素１０６によって切断されるべき毛髪５００と、遮断チャネル２２６によって遮断されるべき毛髪５００との間の後続の分離のための所望の向きに、一次櫛歯２１６によって適切に操作される（持ち上げられ、ガイドされる）。例えば、図５Ｂでは、第２の分離段において、毛髪５００が二次櫛歯２１７によって効果的に分離され得るように、毛髪５００が二次櫛歯２１７に向かって一様に運ばれることが模式的に見てとれる。
【００６７】
第２の分離段では、二次櫛歯２１７は、切断されるべき毛と遮断されるべき毛との間で毛５００を分離するだけでなく、それによって通過する毛を梳く。即ち、所定の二次櫛歯２１７の両側に対応する位置に根を有する絡まった毛髪は、第２の分離段では、二次櫛歯２１７によって絡まりが解かれる。このように、一次櫛歯２１６は粗い櫛を形成し、二次櫛歯２１７は第１の櫛の下流側でより細かい櫛を形成して、毛髪を更にほぐすと言うことができる。
【００６８】
第１の分離段に続いて下流の第２の分離段で毛５００を更にほぐすことは、切断要素１０６によって切断される毛５００の均一性を高める効果を有する。このことは、切断間隙内のより多くの毛５００が、固定された切断長さに正しく切断されることを確実にする。
【００６９】
上記に加えて、各一対の櫛歯２１６、２１７の二次櫛歯２１７は、遮断部の毛髪対向端２２４に整列した毛５００が、切断端１１７と平行な方向に切断間隙２２５に向かって滑ることを防止するためのバリアを提供する、遮断チャネル２２３の壁を定義する。これは、遮断部に対応し、かつ遮断部に整列した根の位置を有するにもかかわらず、意図せず切断間隙２２５に落ち、切断要素１０６によって望ましくないほど切断されてしまう毛の数を減少させる。このことは、毛髪を通る異なるストロークに対する梳き結果の一貫性を増大させる。
【００７０】
従って、ここで記載された例示的な櫛２００は、最大数の毛髪が櫛に入ることを可能にすることにより、ストロークあたりの梳き効果を増大させるだけでなく、切断又は遮断されるべき毛髪と切断自体の間の分離のために毛髪をより良く配向させることにより、ストロークあたりの梳き結果の一貫性を向上させることにも役立つ。ここで記載された櫛はまた、遮断される毛及び切断される毛のそれぞれの狭いチャンネルを提供することにより、より混合された梳き結果を提供する。 
【００７１】
本発明は図面及び以上の記述において説明され記載されたが、斯かる説明及び記載は説明するもの又は例示的なものであって限定するものではないとみなされるべきであり、本発明は開示された実施例に限定されるものではない。
【００７２】
図面、説明及び添付される請求項を読むことにより、請求される本発明を実施化する当業者によって、開示された実施例に対する他の変形が理解され実行され得る。請求項において、「有する（comprising）」なる語は他の要素又はステップを除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
2021507788.tif 000003
【図２】
2021507788.tif 000004
【図３】
2021507788.tif 000005
【図４】
2021507788.tif 000006
【図５ａ）】
2021507788.tif 000007
【図５ｂ）】
2021507788.tif 000008
【国際調査報告】
2021507788.tif 000009
2021507788.tif 000010
2021507788.tif 000011